【事件の表示】
　特願２０１５−１２８８２７「プローブカードの位置決め装置およびプローブホルダー」拒絶査定不服審判事件〔平成２８年　１月２１日出願公開、特開２０１６−　１１９５６、請求項の数（５）〕について、次のとおり審決する。
【結　論】
　原査定を取り消す。
　本願の発明は、特許すべきものとする。
【理　由】
第１　手続の経緯
特許出願：　平成２７年６月２６日
（パリ条約による優先権主張２０１４年６月２７日、台湾）
拒絶査定：　平成２９年１月２５日（送達日：同年同月３１日）
拒絶査定不服審判の請求：　平成２９年５月１９日 
手続補正：　平成２９年５月１９日 
第２　原査定の概要
　原査定（平成２９年１月２５日付け拒絶査定）の概要は次のとおりである。
１．この出願は、特許請求の範囲の記載が下記の点で、特許法第３６条第６項第２号に規定する要件を満たしていない。
２．この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　　　　　　　　　　　　　　記
理由１（特許法第３６条第６項第２号）について
・請求項　６
　請求項６では、「偏倚距離」に関して、例えば「前記第一の直線と前記第四の直線との間に偏倚距離が存在」すると記載しているが、偏倚（へん‐い　かたよること　[株式会社岩波書店 広辞苑第六版]）した距離とはどのような意味なのか明確ではないため、各副開口の構成が明確ではない。
理由２（特許法第２９条第２項）について
・請求項　１〜５
・引用文献等　１，２
　主開口（引用文献１の図１３におけるガイド穴１８４１）の形状を、ほぼ円形な形状（例えば引用文献２）とすることは、当業者が適宜なし得る設計的事項である。
・請求項　６
・引用文献等　１
　偏倚距離の意味は明確ではなく、各副開口の配置、形状も明確ではないが（理由１を参照）、例えば本願明細書（段落００１７等）に記載されるような、主開口に繋がる各副開口の形状が略直線状であって、副開口の両端が直線上に位置し、別の副開口の両端が前記直線状に揃って位置していないものは、引用文献１（例えば図１３における図面左下側の切れ目１８４２と、図面左上側の切れ目又は図面右下側の切れ目）に記載または示唆されているから、「前記第一副開口は第一の直線を有し、前記第二副開口は第二の直線を有し、前記第三副開口は第三の直線を有し、前記第四副開口は第四の直線を有し、前記第一の直線と前記第四の直線との間に偏倚距離が存在し、または前記第一の直線と前記第二の直線との間に偏倚距離が存在する」構成とすることは、当業者ならば容易になし得たものである。
　また、剛性についても、引用文献１では、図１３における穴等の形状又は寸法（段落００１５の「弾性」、「変形」等も参照）からみて、ガイド穴１８４１（主開口に対応）と繋がる図面左下側の切れ目と図面右下側の切れ目との間に位置付けられた部位の剛性と、前記図面右下側の切れ目と図面右上側の切れ目との間に位置付けられた部位の剛性とは異なるものが記載又は示唆されているといえるから、「前記第一弾性部位は前記第一副開口と前記第二副開口との間に位置付けられ、前記第一位置決め部位は前記第二副開口と前記第三副開口との間に位置付けられ、前記第二弾性部位は前記第三副開口と前記第四副開口との間に位置付けられ、前記第二位置決め部位は前記第一副開口と前記第四副開口との間に位置付けられ、前記第一位置決め部位および前記第二位置決め部位の剛性は前記第一弾性部位および前記第二弾性部位の剛性より大きく、前記第一位置決め部位と前記第二位置決め部位とは向かい合うように配置され、前記第一弾性部位と前記第二弾性部位とは向かい合うように配置され」る構成とすることは、当業者ならば容易になし得たものである。
　　　　　　　　　　　　　　＜引用文献等一覧＞
１．特開２００２−２９６２９７号公報
２．特開２００２−３５７２０７号公報
第３　本願発明
　本願請求項１−５に係る発明（以下、それぞれ「本願発明１」−「本願発明５」という。）は、平成２９年５月１９日付けの手続補正で補正された特許請求の範囲の請求項１−５に記載された事項により特定される発明であり、以下のとおりの発明である。
「【請求項１】
　プローブを位置決めする、プローブカードの位置決め装置であって、
　主開口、第一副開口、第二副開口、第三副開口、第四副開口、第一位置決め部位、第二位置決め部位、第一弾性部位および第二弾性部位を備え、
　前記第一副開口、前記第二副開口、前記第三副開口および前記第四副開口は前記主開口に繋がるように前記主開口の周りに順に配列され、
　前記第一副開口および前記第三副開口はそれぞれ、前記第二副開口および前記第四副開口それぞれの長さより大きい長さを有し、
前記第一弾性部位は前記第一副開口と前記第二副開口との間に位置付けられ、前記第一位置決め部位は前記第二副開口と前記第三副開口との間に位置付けられ、前記第二弾性部位は前記第三副開口と前記第四副開口との間に位置付けられ、前記第二位置決め部位は前記第一副開口と前記第四副開口との間に位置付けられ、
　プローブが前記主開口を通過する時に、前記第一弾性部位および前記第二弾性部位が、前記第一位置決め部位および前記第二位置決め部位より大きく湾曲するように、前記第一位置決め部位および前記第二位置決め部位の剛性は前記第一弾性部位および前記第二弾性部位の剛性より大きく、
　前記主開口は、円形を呈し、幾何学中心を有し、前記第一副開口、前記第二副開口、前記第三副開口および前記第四副開口は、前記第一副開口、前記第二副開口、前記第三副開口および前記第四副開口が前記主開口の前記幾何学中心を囲んで１８０度回転すると、前記第一副開口が前記第三副開口に重なり、前記第二副開口が前記第四副開口に重なるようになされ、
　前記第一位置決め部位および前記第二位置決め部位および前記第一弾性部位および前記第二弾性部位は前記主開口の周りに位置することを特徴とする、
　プローブカードの位置決め装置。
　　【請求項２】
　前記第一位置決め部位および前記第二位置決め部位はそれぞれ、前記主開口の周りに位置する位置決め辺縁部を有し、前記第一弾性部位および前記第二弾性部位はそれぞれ、前記主開口の周りに位置する弾性辺縁部を有し、前記位置決め部位の前記位置決め辺縁部の長さは前記弾性部位の前記弾性辺縁部の長さに等しいかそれより大きいことを特徴とする請求項１に記載のプローブカードの位置決め装置。
　　【請求項３】
　前記第一副開口、前記第二副開口、前記第三副開口および前記第四副開口は、直線状、曲線状または折り線状のいずれかを呈することを特徴とする請求項１に記載のプローブカードの位置決め装置。
　　【請求項４】
　前記第一位置決め部位と前記第二位置決め部位とは向かい合うように配置され、前記第一弾性部位と前記第二弾性部位とは向かい合うように配置されることを特徴とする請求項１に記載のプローブカードの位置決め装置。
　　【請求項５】
　プローブを位置決めする、プローブカードの位置決め装置であって、
　主開口、第一副開口、第二副開口、第三副開口、第四副開口、第一位置決め部位、第二位置決め部位、第一弾性部位および第二弾性部位を備え、
　前記第一副開口、前記第二副開口、前記第三副開口および前記第四副開口は前記主開口に繋がるように前記主開口の周りに順に配列され、
　前記第一副開口および前記第三副開口はそれぞれ、前記第二副開口および前記第四副開口それぞれの長さより大きい長さを有し、
前記第一弾性部位は前記第一副開口と前記第二副開口との間に位置付けられ、前記第一位置決め部位は前記第二副開口と前記第三副開口との間に位置付けられ、前記第二弾性部位は前記第三副開口と前記第四副開口との間に位置付けられ、前記第二位置決め部位は前記第一副開口と前記第四副開口との間に位置付けられ、
　プローブが前記主開口を通過する時に、前記第一弾性部位および前記第二弾性部位が、前記第一位置決め部位および前記第二位置決め部位より大きく湾曲するように、前記第一位置決め部位および前記第二位置決め部位の剛性は前記第一弾性部位および前記第二弾性部位の剛性より大きく、
　前記第一副開口は第一の直線を有し、前記第二副開口は第二の直線を有し、前記第三副開口は第三の直線を有し、前記第四副開口は第四の直線を有し、
　第一副開口、第二副開口、第三副開口、および第四副開口はその延長方向に垂直の幅が一定した直線状であって、第一副開口は第一の直線に位置するが、第四副開口の両端は前記第一の直線に揃って位置することがなく、第二副開口の両端は第一副開口の両端が位置する前記第一の直線に揃って位置することがないことを特徴とする、
　プローブカードの位置決め装置。」
第４　引用文献、引用発明等
１．引用文献１について
　原査定の拒絶の理由に引用された引用文献１（特開２００２−２９６２９７号公報）には、図面とともに次の事項が記載されている。（下線は当審による。以下同様。）
「【０００１】
【発明の属する技術分野】本発明は、半導体集積回路チップや液晶デバイスなどの電気的特性の測定に用いる接触子組立体に関し、特にウエハ上のＩＣの試験に使用する接触子組立体に関する。」
「【００１５】このようにして配列された横方向並列接触子群１２１、縦方向並列接触子群１２２には、図１１に示すように、垂直型接触子１１２（２１２）の出力部１４と変形部１５との間に配置され、出力部１４を回路網端子に案内する出力側ガイド１８４と、垂直型接触子１１２（２１２）の入力部１３と変形部１５との間に配置され、入力部１３を被試験チップの電極パッドに案内する入力側ガイド１８５が組み付けられる。これらの
ガイド１８４、１８５は一対のガイド部材により構成される。各ガイド部材は
ガイド穴１８４１が開けられている。
さらにこのガイド穴１８４１には、
その四隅に切れ目１８４２が設けられ
【００１６】また、入力側、出力側のガイド１８５、１８４は、図１１に示すように、一対のガイド部材がスペーサ１８３を介して組み付けられて形成されている。スペーサ１８３はガイド部材と同じ外形を有し、ガイド部材のガイド穴１８４１の外周に沿う枠状に形成されていて、２つのガイド部材間に外周縁部を一致されて介装され、接着剤等で組み付けられている。なお、第１の実施の形態においては、入力側ガイド１８５、出力側ガイド１８４とスペーサ１８３の組み立てを容易にするため、これらを接着剤等で組み付けているが、接着剤等による組み付けを必ずしも必要としない。また、入力側ガイド１８５と出力側ガイド１８４を上下に１枚ずつ配置して、スペーサ１８３を省略してもよく、また、入力側ガイド１８５と出力側ガイド１８４を複数のガイド部材により多層化して複数のスペーサ１８３を挿入するようにしてもよい。また、上側、下側の各ガイド１８４、１８５はこれら
ガイド１８４、１８５間に
枠１８６が介在され、
上側、下側の各ガイド１８４、１８５のガイド穴１８４１に、
横方向並列接触子群１２１と縦方向並列接触子群１２２の各垂直型接触子１１２、２１２が挿入され、
組み立てられて接触子基本体１８となる。
　引用文献１の図１３から、上記「ガイド穴１８４１」は長方形に形成されていることが分かる。そうすると、上記引用文献１には次の発明（以下、「引用発明」という。）が記載されている。
「ガイド１８４、１８５間に枠１８６が介在され、上側、下側の各ガイド１８４、１８５のガイド穴１８４１に、横方向並列接触子群１２１と縦方向並列接触子群１２２の各垂直型接触子１１２、２１２が挿入され、組み立てられて接触子基本体１８となる、ガイド１８４であって、（【００１６】参照。）
　ガイド１８４は一対のガイド部材により構成され、各ガイド部材はガイド穴１８４１が開けられ、このガイド穴１８４１は長方形に形成され、さらにこのガイド穴１８４１には、その四隅に切れ目１８４２が設けられる、（【００１５】参照。）
　接触子基本体１８のガイド１８４。」
２．引用文献２について
　また、原査定の拒絶の理由に引用された引用文献２（特開２００２−３５７２０７号公報）には、以下の技術的事項が記載されている。
「【０００１】
【発明の属する技術分野】この発明は、例えば、電子部品の電気的特性を測定するプローブ装置のプローブホルダにプローブ等の円柱形状体を固定する、円柱形状体の固定具及び固定方法に関する。」
「【００１７】
プローブ装置の固定具本体としてのプレート状のプローブホルダ１１は、
円柱形状体としての針状のプローブ１２を挿入する挿入孔１３が貫通して設けられている。
【００１８】
前記挿入孔１３とねじ孔１４とはプローブホルダ１１を貫通する２本の第１と第２のスリット１８，１９によって全部或いは一部が連通している。
第５　対比・判断
１．本願発明１について
（１）対比
　本願発明１と引用発明とを対比する。 
　まず、引用発明における「ガイド１８４」は、その「ガイド穴１８４１に、横方向並列接触子群１２１と縦方向並列接触子群１２２の各垂直型接触子１１２、２１２が挿入され、組み立てられて接触子基本体１８となる」ものであるから、「垂直型接触子１１２、２１２」を位置決めするものであるといえる。また、引用発明の「垂直型接触子１１２、２１２」及び「接触子基本体１８」は、それぞれ本願発明１の「プローブ」及び「プローブカード」に相当する。したがって、引用発明の「ガイド１８４、１８５間に枠１８６が介在され、上側、下側の各ガイド１８４、１８５のガイド穴１８４１に、横方向並列接触子群１２１と縦方向並列接触子群１２２の各垂直型接触子１１２、２１２が挿入され、組み立てられて接触子基本体１８となる、ガイド１８４」は、本願発明１の「プローブを位置決めする、プローブカードの位置決め装置」に相当するといえる。
　また、引用発明の「ガイド１８４」を構成する「各ガイド部材」に開けられた「ガイド穴１８４１」が本願発明１の「主開口」に相当する。
　次に、引用発明の「長方形に形成され」た「ガイド穴１８４１」の「四隅に」設けられた「切れ目１８４２」のうちのいずれか一つの一番目の切れ目、及びそれに対して長方形の短辺を挟んで位置する二番目の切れ目が、それぞれ本願発明１の「第一副開口」及び「第二副開口」に相当し、さらに該二番目の切れ目に対して長方形の長辺を挟んで位置する三番目の切れ目、及び該三番目の切れ目に対して長方形の短辺を挟んで位置する四番目の切れ目が、それぞれ本願発明１の「第三副開口」及び「第四副開口」に相当する。
　また、引用発明の「ガイド穴１８４１」の回りに「四隅」の「切れ目１８４２」により形成された４つの切片のうち、長方形の短辺を形成する、一番目の切れ目と二番目の切れ目の間、及び三番目の切れ目と四番目の切れ目の間に位置する切片が、それぞれ本願発明１の「第一弾性部位」及び「第二弾性部位」に相当し、長方形の長辺を形成する、二番目の切れ目と三番目の切れ目の間、及び四番目の切れ目と一番目の切れ目の間に位置する切片が、それぞれ本願発明１の「第一位置決め部位」及び「第二位置決め部位」に相当する。
　上記の構成であれば、図１３に記載された切れ目の形状からみて、上記４つの切片のうち、長方形の短辺を形成するものは、長方形の長辺を形成する切片よりも、垂直型接触子を挿入する際に大きく湾曲できる、すなわち、剛性が相対的に小さいことは明らかであるし、また、引用発明の「ガイド穴１８４１」は「長方形に形成され」ているのであるから、幾何学中心を有し、該幾何学中心を囲んで１８０度回転すると、前記一番目の切れ目が前記三番目の切れ目に重なり、前記二番目の切れ目が前記四番目の切れ目に重なることも明らかである。
　そうすると、引用発明において「ガイド１８４は一対のガイド部材により構成され、各ガイド部材はガイド穴１８４１が開けられ、このガイド穴１８４１は長方形に形成され、さらにこのガイド穴１８４１には、その四隅に切れ目１８４２が設けられる」ことは、本願発明１において「主開口、第一副開口、第二副開口、第三副開口、第四副開口、第一位置決め部位、第二位置決め部位、第一弾性部位および第二弾性部位を備え」ること、「前記第一副開口、前記第二副開口、前記第三副開口および前記第四副開口は前記主開口に繋がるように前記主開口の周りに順に配列され」ること、「前記第一弾性部位は前記第一副開口と前記第二副開口との間に位置付けられ、前記第一位置決め部位は前記第二副開口と前記第三副開口との間に位置付けられ、前記第二弾性部位は前記第三副開口と前記第四副開口との間に位置付けられ、前記第二位置決め部位は前記第一副開口と前記第四副開口との間に位置付けられ」ること、「プローブが前記主開口を通過する時に、前記第一弾性部位および前記第二弾性部位が、前記第一位置決め部位および前記第二位置決め部位より大きく湾曲するように、前記第一位置決め部位および前記第二位置決め部位の剛性は前記第一弾性部位および前記第二弾性部位の剛性より大き」いこと、及び「前記第一位置決め部位および前記第二位置決め部位および前記第一弾性部位および前記第二弾性部位は前記主開口の周りに位置すること」に相当し、また本願発明１において「前記主開口は、円形を呈し、幾何学中心を有し、前記第一副開口、前記第二副開口、前記第三副開口および前記第四副開口は、前記第一副開口、前記第二副開口、前記第三副開口および前記第四副開口が前記主開口の前記幾何学中心を囲んで１８０度回転すると、前記第一副開口が前記第三副開口に重なり、前記第二副開口が前記第四副開口に重なるようになされ」ている点と、「前記主開口は、幾何学中心を有し、前記第一副開口、前記第二副開口、前記第三副開口および前記第四副開口は、前記第一副開口、前記第二副開口、前記第三副開口および前記第四副開口が前記主開口の前記幾何学中心を囲んで１８０度回転すると、前記第一副開口が前記第三副開口に重なり、前記第二副開口が前記第四副開口に重なるようになされ」ている点で共通する。
　してみると、両者の一致点及び相違点は、以下のとおりである。
　                        
（一致点）
「プローブを位置決めする、プローブカードの位置決め装置であって、
　主開口、第一副開口、第二副開口、第三副開口、第四副開口、第一位置決め部位、第二位置決め部位、第一弾性部位および第二弾性部位を備え、
　前記第一副開口、前記第二副開口、前記第三副開口および前記第四副開口は前記主開口に繋がるように前記主開口の周りに順に配列され、
　前記第一弾性部位は前記第一副開口と前記第二副開口との間に位置付けられ、前記第一位置決め部位は前記第二副開口と前記第三副開口との間に位置付けられ、前記第二弾性部位は前記第三副開口と前記第四副開口との間に位置付けられ、前記第二位置決め部位は前記第一副開口と前記第四副開口との間に位置付けられ、
　プローブが前記主開口を通過する時に、前記第一弾性部位および前記第二弾性部位が、前記第一位置決め部位および前記第二位置決め部位より大きく湾曲するように、前記第一位置決め部位および前記第二位置決め部位の剛性は前記第一弾性部位および前記第二弾性部位の剛性より大きく、
　前記主開口は、幾何学中心を有し、前記第一副開口、前記第二副開口、前記第三副開口および前記第四副開口は、前記第一副開口、前記第二副開口、前記第三副開口および前記第四副開口が前記主開口の前記幾何学中心を囲んで１８０度回転すると、前記第一副開口が前記第三副開口に重なり、前記第二副開口が前記第四副開口に重なるようになされ、
　前記第一位置決め部位および前記第二位置決め部位および前記第一弾性部位および前記第二弾性部位は前記主開口の周りに位置することを特徴とする、
　プローブカードの位置決め装置。」
　
　（相違点）　
相違点１：本願発明１は、「前記第一副開口および前記第三副開口はそれぞれ、前記第二副開口および前記第四副開口それぞれの長さより大きい長さを有し」ているのに対し、引用発明においては各切れ目の長さの関係は不明である点。
　　
相違点２：本願発明１においては、「主開口は、円形を呈し」ているのに対し、引用発明の「ガイド穴１８４１は長方形に形成され」ている点。
（２）相違点についての判断
　上記相違点１について検討すると、相違点１に係る本願発明１の「前記第一副開口および前記第三副開口はそれぞれ、前記第二副開口および前記第四副開口それぞれの長さより大きい長さを有し」ているという構成は、引用文献２には記載されておらず、自明でもない。
　したがって、上記相違点２について判断するまでもなく、本願発明１は、当業者であっても、引用文献１ないし２に基づいて容易に発明できたものとはいえない。
２．本願発明２−５について
　本願発明２−５も、本願発明１の「前記第一副開口および前記第三副開口はそれぞれ、前記第二副開口および前記第四副開口それぞれの長さより大きい長さを有し」ているという構成と同一の構成を備えるものであるから、本願発明１と同じ理由により、当業者であっても、引用文献１ないし２に基づいて容易に発明できたものとはいえない。
第６　原査定について
１．理由１（特許法第３６条第６項第２号）について
　審判請求時の補正により、「偏倚距離」という記載は削除されており、原査定の理由１を維持することはできない。
２．理由２（特許法第２９条第２項）について
　審判請求時の補正により、本願発明１−５は「前記第一副開口および前記第三副開口はそれぞれ、前記第二副開口および前記第四副開口それぞれの長さより大きい長さを有し」ているという事項を有するものとなっており、当業者であっても、拒絶査定において引用された引用文献１−２に基づいて、容易に発明できたものとはいえない。したがって、原査定の理由２を維持することはできない。
第７　むすび
　以上のとおり、原査定の理由によっては、本願を拒絶することはできない。
　また、他に本願を拒絶すべき理由を発見しない。
　よって、結論のとおり審決する。